(57)【特許請求の範囲】
【請求項１】
小便受面を有する便器本体と、
前記小便受面に設けられ、前記小便受面から突出した第１状態と、先端が前記第１状態よりも前記小便受面に近づいた第２状態とに切替可能であり、前記便器本体の前方に人体が存在するときに、前記第２状態から前記第１状態に動作するように構成された突出部と、
前記突出部を駆動して前記第２状態から前記第１状態に切り替える駆動部と、
前記便器本体の前方に人体が存在するか否かを検知する検知部と、
前記検知部により前記便器本体の前方に人体が存在することを検知したときに前記突出部が前記第２状態から前記第１状態に切り替わるように前記駆動部を制御する制御部とを備え、
前記突出部は強磁性形状記憶合金から形成され、
前記駆動部は前記突出部が前記第２状態から前記第１状態に変形するように磁場を発生させることを特徴とする小便器。
【請求項２】
前記突出部は、前記小便受面から突出した複数の突起で構成され、
前記第１状態は前記複数の突起が前記小便受面に対して起立した状態であり、
前記第２状態は前記複数の突起が前記小便受面に沿った状態であることを特徴とする請求項１に記載の小便器。
【請求項３】
小便受面を有する便器本体と、
前記小便受面に設けられた突出部とを備え、
前記突出部は、前記小便受面から突出した第１状態と、先端が前記第１状態よりも前記小便受面に近づいた第２状態とに切替可能であり、前記便器本体の前方に人体が存在するときに、前記突出部が前記第２状態から前記第１状態に動作するように構成され、
前記突出部は、前記小便受面から突出した複数の突起で構成され、
前記第１状態は前記複数の突起が前記小便受面に対して起立した状態であり、
前記第２状態は前記複数の突起が前記小便受面に沿った状態であることを特徴とする小便器。
【請求項４】
小便受面を有する便器本体と、
前記小便受面に設けられた突出部とを備え、
前記突出部は、前記小便受面から突出した第１状態と、先端が前記第１状態よりも前記小便受面に近づいた第２状態とに切替可能であり、前記便器本体の前方に人体が存在するときに、前記突出部が前記第２状態から前記第１状態に動作するように構成され、
前記小便受面に凹部が形成され、
前記突出部は、前記凹部に出入可能に収納される網状部材で構成され、
前記第１状態は前記突出部が前記凹部から突出した状態であり、
前記第２状態は前記突出部が前記凹部に収納された状態であることを特徴とする小便器。
【請求項５】
前記突出部に、前記突出部の前記凹部の奥側に臨む面を覆う部材が設けられたことを特徴とする請求項４に記載の小便器。
【請求項６】
前記突出部を駆動して前記第２状態から前記第１状態に切り替える駆動部と、
前記便器本体の前方に人体が存在するか否かを検知する検知部と、
前記検知部により前記便器本体の前方に人体が存在することを検知したときに前記突出部が前記第２状態から前記第１状態に切り替わるように前記駆動部を制御する制御部とを備えたことを特徴とする請求項３〜５のいずれか１項に記載の小便器。
【発明の詳細な説明】
【技術分野】
【０００１】
本発明は小便器に関する。
【背景技術】
【０００２】
特許文献１には、小便器の底部の目皿被覆蓋上に設けられた吸収通水部材が開示されている。この吸収通水部材は、極細の混紡糸を使用した網材を多数枚重合し、所々を離れないように止着したものである。このような吸収通水部材が設けられた小便器は、吸収通水部材によって小便が分散されると同時に吸収され、そして通水される。このため、小便の飛散が抑制される。
【先行技術文献】
【特許文献】
【０００３】
【特許文献１】実開昭６３−１２６４７５号公報
【発明の概要】
【発明が解決しようとする課題】
【０００４】
ところで、前記吸収通水部材が設けられた小便器は、洗浄水が吸収通水部材に当たり、洗浄水が流れ難くなる恐れがある。
【０００５】
本発明は前記事情に鑑みてなされたものであって、小便の飛散が抑制され、かつ洗浄水がスムーズに流れやすい小便器を提供することを目的とする。
【課題を解決するための手段】
【０００６】
前記目的を達成するために本発明に係る小便器は、小便受面を有する便器本体と、前記小便受面に設けられ、前記小便受面から突出した第１状態と、先端が前記第１状態よりも前記小便受面に近づいた第２状態とに切替可能であり、前記便器本体の前方に人体が存在するときに、前記第２状態から前記第１状態に動作するように構成された突出部と、前記突出部を駆動して前記第２状態から前記第１状態に切り替える駆動部と、前記便器本体の前方に人体が存在するか否かを検知する検知部と、前記検知部により前記便器本体の前方に人体が存在することを検知したときに前記突出部が前記第２状態から前記第１状態に切り替わるように前記駆動部を制御する制御部とを備え、前記突出部は強磁性形状記憶合金から形成され、前記駆動部は前記突出部が前記第２状態から前記第１状態に変形するように磁場を発生させることを特徴とする。本発明に係る別の小便器は、小便受面を有する便器本体と、前記小便受面に設けられた突出部とを備え、前記突出部は、前記小便受面から突出した第１状態と、先端が前記第１状態よりも前記小便受面に近づいた第２状態とに切替可能であり、前記便器本体の前方に人体が存在するときに、前記突出部が前記第２状態から前記第１状態に動作するように構成され、前記突出部は、前記小便受面から突出した複数の突起で構成され、前記第１状態は前記複数の突起が前記小便受面に対して起立した状態であり、前記第２状態は前記複数の突起が前記小便受面に沿った状態であることを特徴とする。本発明に係る更に別の小便器は、小便受面を有する便器本体と、前記小便受面に設けられた突出部とを備え、前記突出部は、前記小便受面から突出した第１状態と、先端が前記第１状態よりも前記小便受面に近づいた第２状態とに切替可能であり、前記便器本体の前方に人体が存在するときに、前記突出部が前記第２状態から前記第１状態に動作するように構成され、前記小便受面に凹部が形成され、前記突出部は、前記凹部に出入可能に収納される網状部材で構成され、前記第１状態は前記突出部が前記凹部から突出した状態であり、前記第２状態は前記突出部が前記凹部に収納された状態であることを特徴とする。
【発明の効果】
【０００７】
本発明に係る小便器は、小便の飛散が抑制され、かつ洗浄水がスムーズに流れやすくなる。
【図面の簡単な説明】
【０００８】
【図１】図１は、本発明の一実施形態の小便器の設置状態を示した斜視図である。
【図２】図２は、同上の小便器の設置状態を示した断面図である。
【図３】図３は、同上の小便器に洗浄水が流れる様子を示した正面図である。
【図４】図４は、同上の小便器のブロック図である。
【図５】図５Ａは、同上の小便器の突部が第１状態にあるときの側面図であり、図５Ｂは、同上の小便器の突部が第２状態にあるときの側面図である。
【図６】図６Ａは、変形例１に係る小便器の複数の突起が第１状態にあるときの斜視図であり、図６Ｂは、前記複数の突起が第２状態にあるときの斜視図である。
【図７】図７は、変形例２に係る小便器の斜視図である。
【図８】図８は、同上の小便器の断面図である。
【図９】図９Ａは、同上の小便器の突出部が第１状態にあるときの断面図であり、図９Ｂは同上の小便器の突出部が第２状態にあるときの断面図である。
【図１０】図１０Ａは、変形例３の小便器の複数の突片を第１状態に切り替えたときの断面図であり、図１０Ｂは、前記複数の突片を第２状態に切り替えたときの断面図である。
【発明を実施するための形態】
【０００９】
以下に示す実施形態は、小便受面を有する小便器に関する。
【００１０】
（小便器１）
図１に示す本実施形態の小便器１は、男性の小便専用のストール小便器であり、床置き型の便器である。なお、以下の説明で用いる方向は、小便器１の設置状態を基準としたものである。具体的には、小便器１から利用者に向かう方向を前方とし、利用者から小便器１に向かう方向を後方とする。また、利用者が小便器１を見たときを基準にして左右方向を定義する。
【００１１】
小便器１は、小便受面２２を有する便器本体２と、小便受面２２に洗浄水を供給する洗浄水供給装置３とを備えている。
【００１２】
（便器本体２）
便器本体２は、例えば後面が部屋の壁９０に沿った状態で床９１に設置される。
【００１３】
本実施形態の便器本体２は合成樹脂製であり、例えば射出成形や注型成形によって一体成形される。便器本体２は、ボウル部２０と、外郭部２１とを備えている。ボウル部２０は、便器本体２の前方に立った利用者の小便を受ける部分である。外郭部２１は、便器本体２の外郭を構成する部分である。
【００１４】
ボウル部２０は、前部２３よりも後部２４が上方に突出している。本実施形態では、ボウル部２０の内面が、小便を受ける小便受面２２となっている。小便受面２２は、ボウル部２０の後部２４の内面と、ボウル部２０の前部２３の内面とで構成されている。
【００１５】
ボウル部２０の後部２４の内面は、利用者に対向する対向面２５と、対向面２５の左右両端部から前方に延び出た左右の側面２６，２７とを含んでいる。
【００１６】
図２に示すように、ボウル部２０の下端部には、排水口２８が形成されている。洗浄水供給装置３からボウル部２０に供給された洗浄水は、排水口２８から床９１に設けられた排水管９２に排出される。
【００１７】
（洗浄水供給装置３）
洗浄水供給装置３は、ボウル部２０に設けられた吐水部３０と、吐水部３０に水を供給する給水路３１と、給水路３１に設けられた開閉弁３２とを有している。
【００１８】
吐水部３０は、小便受面２２の対向面２５の上端部に位置している。吐水部３０は、給水路３１を介して給水源に接続される。給水路３１は、例えば配管で構成され、給水源は例えば水道管で構成される。
【００１９】
吐水部３０は、給水路３１から供給された水を、ボウル部２０内に洗浄水として吐出し、この洗浄水を小便受面２２に流下させる。本実施形態の吐水部３０は、複数の吐出口３３を有するスプレッダーである。吐水部３０は、図３に示すように、給水源から供給された水を、複数の吐出口３３から下側に向かって放射状に水を吐出する。
【００２０】
給水路３１の途中には、給水源から吐水部３０への水の供給の有無を切り替えるための開閉弁３２が設けられている。開閉弁３２は、例えば電磁弁である。
【００２１】
（検知部４及び制御部５）
図４に示すように、小便器１は、検知部４と、制御部５とをさらに備えている。検知部４は、便器本体２（図２参照）の前方に人体が存在するか否かを検知する。制御部５は、検知部４の検知結果に基づいて開閉弁３２を制御する。
【００２２】
検知部４は、例えば赤外線センサである。検知部４は、例えば図３に示すようにボウル部２０の対向面２５の上端部に設けられる。
【００２３】
図４に示す制御部５は、例えばマイクロコンピューターで構成される。制御部５は、開閉弁３２と検知部４とに電気的に接続されている。
【００２４】
検知部４は、検知情報を制御部５に出力する。制御部５は、検知部４から入力された検知情報に基づき、開閉弁３２を以下のように制御する。
【００２５】
制御部５は、検知部４によって便器本体２の前方に人体が存在することを検知し、この後、検知部４によって便器本体２の前方に人体が存在しないことを検知したときに開閉弁３２を開く。これにより、図２に示す給水路３１から吐水部３０に水が供給され、吐水部３０から小便受面２２に洗浄水が吐出される。
【００２６】
図４に示す制御部５は、上述のように開閉弁３２を開いた後、所定時間が経過した時点で開閉弁３２を閉じる。これにより、吐水部３０からの洗浄水の吐出が止まる。
【００２７】
上述の制御により、利用者が便器本体２の前方に立って小便器１で用を足し、この後、便器本体２の前方から立ち去ったときには、吐水部３０から洗浄水が所定時間自動的に吐出され、この洗浄水により小便受面２２が洗浄される。
【００２８】
（突出部６）
図２に示すように、小便器１は、小便受面２２に設けられた突出部６をさらに備えている。突出部６は、小便受面２２に当たって跳ね返った小便が便器本体２の外部に飛散することを抑制する。
【００２９】
本実施形態の突出部６は、小便受面２２において、利用者が最も小便を当てる箇所となる、対向面２５の下部に設けられている。突出部６は、吐水部３０の複数の吐出口３３の下方に位置している。
【００３０】
突出部６は、対向面２５から突出した図５Ａに示す第１状態と、先端が第１状態よりも対向面２５に近づいた図５Ｂに示す第２状態とに切替可能である。
【００３１】
本実施形態の突出部６は、複数の突起６０で構成されている。複数の突起６０は、図２に示すように便器本体２に設けられたベース部６１の前面から突出している。ベース部６１は板状であり、例えばインサート成形によりボウル部２０の後壁部の内部に設けられる。
【００３２】
複数の突起６０の各々は、線状であり、対向面２５から突出している。複数の突起６０は変形可能であり、対向面２５に対して起倒可能である。ここで、「起倒可能」とは、複数の突起６０が、対向面２５から突出して対向面２５に対して起立した状態と、対向面２５に沿って倒れた状態との間で変形できることを意味する。
【００３３】
複数の突起６０は、図５Ａに示す第１状態にあるとき、対向面２５から前斜め下方に向かって突出する。複数の突起６０は、図５Ｂに示す第２状態にあるとき、第１状態よりもさらに下方を向くように倒れ、先端が第１状態よりも対向面２５に近づく。
【００３４】
本実施形態の複数の突起６０は、強磁性形状記憶合金である。強磁性形状記憶合金は、形状を変化させても磁場を負荷することで変形前の形状に戻る形状記憶合金である。
【００３５】
各突起６０は図５Ａに示す第１状態の形状を記憶している。すなわち、各突起６０は磁場内に配置されることで、形状記憶効果によって第１状態の形状に変形する。
【００３６】
（駆動部７）
本実施形態の小便器１は、図２に示すように、突出部６を駆動する駆動部７をさらに備えている。駆動部７は、例えばボウル部２０の後方に設けられる。
【００３７】
本実施形態の駆動部７は、突出部６が存在する領域に磁場を発生させる電磁石７０を有している。電磁石７０に通電がなされることで、突出部６には電磁石７０により発生した磁場が負荷され、これにより突出部６は第１状態に変形する。
【００３８】
駆動部７は、図４に示す制御部５に電気的に接続されている。制御部５は、検知部４から入力された検知情報に基づき、駆動部７を例えば以下のように制御する。
【００３９】
制御部５は、検知部４によって便器本体２の前方に人体が存在することを検知したとき、電磁石７０への通電を開始する。これにより、突出部６は、電磁石７０によって発生した磁場により、第１状態に変形する。
【００４０】
制御部５は、上述の電磁石７０への通電の開始の後、検知部４により便器本体２の前方に人体が存在しないことを検知したとき、電磁石７０への通電を停止する。これにより、突出部６は磁場が負荷されない状態となり、変形可能となる。この電磁石７０への通電の停止の制御は、上述した開閉弁３２を開く制御と同時に行われる。
【００４１】
上述の制御により、利用者が小便器１で用を足すにあたって便器本体２の前方に立ったときには、複数の突起６０は図５Ａに示すように小便受面２２から突出した第１状態の形状に変形する。このため、利用者が小便器１で用を足して小便受面２２に当たった小便が跳ね返ったとしても、この小便は、図５Ａに矢印で示すように複数の突起６０に付着する。したがって、小便はボウル部２０の外に飛散し難くなる。
【００４２】
また、利用者が小便器１で用を足した後に便器本体２の前方から立ち去ったときには、電磁石７０への通電が停止されて突出部６は変形可能になる。このため、複数の突起６０は、吐水部３０から吐出されて小便受面２２を流下する洗浄水と、複数の突起６０の自重とにより、図５Ｂに示す第２状態の形状に変形する。したがって、小便受面２２を流れる洗浄水の流れは、突出部６によって阻害され難くなり、洗浄水がスムーズに流れやすくなる。また、このとき、複数の突起６０は、小便受面２２に沿って倒れた状態になるため、小便受面２２の掃除の際に邪魔になり難い。
【００４３】
なお、複数の突起６０は、電磁石７０への通電が停止されたときに、自重のみで第１状態から第２状態に変形するように構成されてもよい。
【００４４】
また、本実施形態では、開閉弁３２が開くと同時に電磁石７０への通電が停止されるが、電磁石７０への通電は、洗浄水が小便受面２２を流れる前に停止されればよい。例えば電磁石７０への通電が開始された後、所定時間後に電磁石７０への通電が停止され、この通電の停止と同時に、あるいはこの通電の停止後に検知部４によって便器本体２の前方に人体が存在しないことを検知したときに、開閉弁３２が開いてもよい。
【００４５】
また、小便器１の電源は、商用電源であってもよいし、発電機であってもよい。また、小便器１の電源は、商用電源と発電機とで構成されてもよい。発電機としては、例えば図２に示す発電床装置８が利用される。
【００４６】
発電床装置８は、例えば便器本体２の前方の床９１に設置される。発電床装置８は、圧力エネルギーを電気エネルギーに変換する圧電素子を備えており、この圧電素子に利用者の体重が加わることで、電力が発生する。
【００４７】
なお、発電機は、発電床装置８に制限されず、太陽光発電装置や、給水路３１を流れる水の流れを利用して電力を生み出す水力発電装置等であってもよい。
【００４８】
また、本実施形態の複数の突起６０は、強磁性形状記憶合金であるが、加熱により第１状態に変形する形状記憶合金であってもよい。この場合、駆動部７は、例えば複数の突起６０を加熱するヒーターにより構成される。また、複数の突起６０を第１状態を記憶した形状記憶合金とした場合、複数の突起６０を小便による加熱により第１状態に変形させることも可能である。この場合、駆動部７を省略できる。
【００４９】
（変形例）
次に変形例１〜３について説明する。なお、以下の変形例１〜３の説明では、前記実施形態と共通の構成については同一の符号を付し、共通する点については説明を省略する。
【００５０】
（変形例１）
図６Ａ及び図６Ｂに示す変形例１の小便器１は、複数の突起６０の各々が、板状の可動片である。各突起６０は、前記実施形態における突起６０と同様、強磁性形状記憶合金である。複数の突起６０は、図６Ａに示す第１状態にあるとき、対向面２５から前斜め下方に向かって突出する。複数の突起６０は、図６Ｂに示す第２状態にあるとき、第１状態よりもさらに下方を向くように倒れ、先端が第１状態よりも対向面２５に近づく。各突起６０は、図６Ａに示す第１状態の形状を記憶している。
【００５１】
（変形例２）
（突出部６）
図７に示す変形例２の小便器１は、突出部６が網状部材で構成されている。突出部６は、例えば合成樹脂材料や、金属材料から形成されており、全体が網状に形成されている。洗浄水や小便等の液体は、突出部６の網目を通過できる。
【００５２】
突出部６は、正面視円形で後方に開口した筒状に形成されている。突出部６は、図８に示すように、前面部６２と、前面部６２の周縁から後方に延びた周面部６３とを備えている。
【００５３】
突出部６の後端部には、突出部６の後面（後述の凹部２９の奥側に臨む面）を覆う部材６４が設けられている。なお、本変形例ではベース部６１は設けられていない。
【００５４】
部材６４は、厚み方向が前後方向と平行な板状に形成されている。部材６４は、突出部６の後端開口部を閉塞している。
【００５５】
便器本体２の小便受面２２には、突出部６を部材６４と共に収納するための凹部２９が形成されている。凹部２９は、対向面２５の下部に位置しており、前方に向かって開口している。凹部２９は突出部６と正面視における形状及び大きさが、略同じである。
【００５６】
突出部６は、部材６４と共に凹部２９に出入可能に収納されている。突出部６は、部材６４と共に前後方向に移動（変位）することで、対向面２５から前方に突出した図９Ａに示す第１状態と、凹部２９に収納された図９Ｂに示す第２状態とに切替可能である。
【００５７】
（駆動部７）
駆動部７はモーターを有しており、通電により突出部６を部材６４と共に前後方向に駆動可能である。駆動部７は制御部５により以下のように制御される。
【００５８】
制御部５は、検知部４によって便器本体２の前方に人体が存在することを検知したとき、突出部６が部材６４と共に前方に駆動するように駆動部７を制御する。これにより、突出部６は、図９Ａに示すように対向面２５から前方に突出した第１状態となる。この第１状態では、部材６４の前面は、対向面２５と面一となり、凹部２９の前端開口部は部材６４によって閉塞される。
【００５９】
制御部５は、上述のように検知部４によって便器本体２の前方に人体が存在することを検知した後、検知部４により便器本体２の前方に人体が存在しないことを検知したとき、突出部６及び部材６４が後方に駆動するように駆動部７を制御する。これにより、突出部６は、図９Ｂに示すように凹部２９に収納された第２状態となる。
【００６０】
上述の制御により、利用者が便器本体２の前方に立ったときには、駆動部７は、突出部６を図９Ａに示す第１状態の位置まで駆動する。このため、利用者が小便器１で用を足して小便受面２２または部材６４の前面に当たった小便が跳ね返ったとしても、この小便は、突出部６に付着し、便器本体２の外部に飛散し難くなる。また、このとき、凹部２９の前端開口部は部材６４によって閉塞されるので、凹部２９に小便が入り込み難くなり、凹部２９が汚れ難くなる。
【００６１】
また、利用者が小便器１で用を足した後に便器本体２の前方から立ち去ったときには、駆動部７は、突出部６を図９Ｂに示す第２状態の位置まで駆動する。このため、小便受面２２を流れる洗浄水の流れは、突出部６によって阻害され難くなり、洗浄水がスムーズに流れやすくなる。また、このとき、突出部６は、対向面２５よりも前方に突出しないため、小便受面２２の掃除の際に邪魔になり難い。
【００６２】
（変形例３）
図１０Ａ及び図１０Ｂに示す変形例３の小便器１の突出部６は、複数の突片６５で構成されている。各突片６５は、水平な板状であり、ベース部６１から前方に向かって突出している。
【００６３】
ベース部６１は、例えばボウル部２０の後壁部の後方に配置される。ベース部６１は、複数の突片６５と共に便器本体２に対して前後動可能に設けられている。
【００６４】
ベース部６１が前後動することで、複数の突片６５は、図１０Ａに示すように対向面２５から前方に突出した第１状態と、図１０Ｂに示すように便器本体２に収納されて対向面２５から非突出となる第２状態とに切替可能である。
【００６５】
駆動部７はモーターを有しており、通電により網状部材及び覆部材を前後方向に駆動可能である。駆動部７は制御部５により以下のように制御される。
【００６６】
制御部５は、検知部４によって便器本体２の前方に人体が存在することを検知したとき、ベース部６１と共に複数の突片６５を前方に駆動するように駆動部７を制御する。これにより、複数の突片６５は、図１０Ａに示すように対向面２５から前方に突出した第１状態となる。
【００６７】
制御部５は、上述のように検知部４によって便器本体２の前方に人体が存在することを検知した後、検知部４により便器本体２の前方に人体が存在しないことを検知したとき、ベース部６１と共に複数の突片６５を後方に駆動するように駆動部７を制御する。これにより、複数の突片６５は、図１０Ｂに示すように、対向面２５から突出しない第２状態となる。
【００６８】
上述の制御により、利用者が便器本体２の前方に立ったときには、駆動部７は、複数の突片６５を図１０Ａに示す第１状態の位置まで駆動する。このため、利用者が小便器１で用を足して対向面２５に当たった小便が跳ね返ったとしても、この小便は、複数の突片６５に付着し、便器本体２の外部に飛散し難くなる。
【００６９】
また、利用者が小便器１で用を足した後に便器本体２の前方から立ち去ったときには、駆動部７は、複数の突片６５を図１０Ｂに示す第２状態の位置まで駆動する。このため、小便受面２２を流れる洗浄水の流れは、複数の突片６５によって阻害され難くなり、洗浄水がスムーズに流れやすくなる。また、このとき、複数の突片６５は、対向面２５よりも前方に突出しないため、小便受面２２の掃除の際に邪魔になり難い。
【００７０】
（効果）
以上説明した実施形態及び各変形例の小便器１は、以下の構成を有している。小便器１は、小便受面２２を有する便器本体２と、小便受面２２に設けられた突出部６とを備える。突出部６は、小便受面２２から突出した第１状態と、先端が第１状態よりも小便受面２２に近づいた第２状態とに切替可能である。便器本体２の前方に人体が存在するときに、突出部６が第２状態から第１状態に動作するように構成される。
【００７１】
この構成を有する小便器１は、便器本体２の前方に人体が存在するときに、突出部６が小便受面２２から突出した第１状態に切り替えられる。このため、利用者が小便器１で用を足して小便受面２２に当たった小便が跳ね返ったとしても、この小便は突出部６に付着する。したがって、小便は便器本体２の外部に飛散し難くなる。また、小便受面２２を洗浄するときには、突出部６を先端が第１状態よりも小便受面２２に近づいた第２状態に切り替えることができる。このため、小便受面２２を流れる洗浄水の流れが、突出部６によって阻害され難くなり、洗浄水がスムーズに流れやすくなる。
【００７２】
また、上述した実施形態及び各変形例の小便器１は、以下の付加的な構成を有している。小便器１は、駆動部７と、検知部４と、制御部５とを備える。駆動部７は、突出部６を駆動して第２状態から第１状態に切り替える。検知部４は、便器本体２の前方に人体が存在するか否かを検知する。制御部５は、検知部４により便器本体２の前方に人体が存在することを検知したときに突出部６が第２状態から第１状態に切り替わるように駆動部７を制御する。
【００７３】
この構成を有する小便器１は、検知部４により便器本体２の前方に人体が存在することを検知したとき、突出部６が駆動部７によって第１状態に切り替えられる。このため、利用者が小便器１で用を足す際には、突出部６が第１状態に自動的に切り替わる。
【００７４】
また、上述した実施形態及び変形例１の小便器１は、以下の付加的な構成を有している。突出部６は強磁性形状記憶合金から形成される。駆動部７は突出部６が第２状態から第１状態に変形するように磁場を発生させる。
【００７５】
この構成を有する小便器１は、磁場を発生させる駆動部７を用いて、突出部６を駆動できる。
【００７６】
また、上述した実施形態及び変形例１の小便器１は、以下の付加的な構成を有している。突出部６は、小便受面２２から突出した複数の突起６０で構成される。第１状態は複数の突起６０が小便受面２２に対して起立した状態である。第２状態は複数の突起６０が小便受面２２に沿った状態である。
【００７７】
この特徴を有する小便器１は、小便器１受面に対して起立した複数の突起６０により、小便の飛散が抑制される。
【００７８】
また、変形例２の小便器１は、以下の付加的な構成を有している。小便受面２２に凹部２９が形成される。突出部６は、凹部２９に出入可能に収納される網状部材で構成される。第１状態は突出部６が凹部２９から突出した状態である。第２状態は突出部６が凹部２９に収納された状態である。
【００７９】
この構成を有する小便器１は、網状部材で構成された突出部６により、小便の飛散が抑制される。また、第２状態の突出部６は、凹部２９に収納されるので、小便受面２２の掃除の際に邪魔になり難い。
【００８０】
また、変形例２の小便器１は、以下の付加的な構成を有している。突出部６に、突出部６の凹部２９の奥側に臨む面を覆う部材６４が設けられる。
【００８１】
この構成を有する小便器１は、突出部６の網目を通過した小便を部材６４で受け止めて、小便が凹部２９に入り込み難くなる。このため、凹部２９は汚れにくくなる。
【００８２】
（応用）
なお、上述した実施形態及び各変形例の小便器１は、突出部６が、便器本体２において利用者に対向する対向面２５に設けられているが、突出部６は、側面２６，２７や、ボウル部２０の前部２３の内面等、その他の小便受面２２に設けられてもよい。
【００８３】
また、上述した実施形態及び各変形例の小便器１は、床置き形の小便器１であるが、壁掛け式の小便器１であってもよいし、いわゆるサニスタンドであってもよい。
【００８４】
また、前記実施形態と各変形例で説明した構成は、適宜組み合わせて適用可能である。
【００８５】
また、この他、上述した実施形態及び各変形例の小便器１は、適宜設計変更可能である。
【符号の説明】
【００８６】
１  小便器
２  便器本体
２２  小便受面
２９  凹部
４  検知部
５  制御部
６  突出部
６０  突起
６４  部材
７  駆動部
【図１】
0006741983.tif 000002
【図２】
0006741983.tif 000003
【図３】
0006741983.tif 000004
【図４】
0006741983.tif 000005
【図５】
0006741983.tif 000006
【図６】
0006741983.tif 000007
【図７】
0006741983.tif 000008
【図８】
0006741983.tif 000009
【図９】
0006741983.tif 000010
【図１０】
0006741983.tif 000011